(57)【要約】【課題】  ＰＬＣ機能付きゲートウェイ装置及びＩＰ網を介してファクシミリ通信を行う場合であっても、ファクシミリ通信の通信手順を継続することができる。【解決手段】  ファクシミリモデム１０を用いてファクシミリ通信信号を送受信することによりファクシミリ通信を行うファクシミリ装置において、主制御部１は、ファクシミリ通信信号を受信してその信号レベルを周期的に検出し、時間的に隣接して検出された２つの信号レベルの変化の比が実質的に１／２であるとき、ファクシミリモデム１０の復調動作を停止させるように制御する。【選択図】  図４
2007043418.tif 000002
【特許請求の範囲】
【請求項１】
ファクシミリモデムを用いてファクシミリ通信信号を送受信することによりファクシミリ通信を行うファクシミリ装置において、
ファクシミリ通信信号を受信してその信号レベルを周期的に検出し、時間的に隣接して検出された２つの信号レベルの変化の比が実質的に１未満の所定値であるとき、上記ファクシミリモデムの復調動作を停止させる制御手段を備えたことを特徴とするファクシミリ装置。
【請求項２】
ファクシミリモデムを用いてファクシミリ通信信号を送受信することによりファクシミリ通信を行うファクシミリ装置において、
ファクシミリ通信信号を受信してその信号レベルを周期的に検出し、時間的に隣接して検出された２つの信号レベルの変化の比が実質的に１未満の所定値であるとき、上記受信したファクシミリ通信信号の信号レベルを所定のレベルに保持するように制御する制御手段を備えたことを特徴とするファクシミリ装置。
【請求項３】
上記所定値は１／２であることを特徴とする請求項１又は２記載のファクシミリ装置。
【発明の詳細な説明】
【技術分野】
【０００１】
本発明は、相手先のファクシミリ装置と、例えば公衆電話網及びＩＰ網を介してファクシミリ通信を行うためのファクシミリ装置に関する。
【背景技術】
【０００２】
従来技術において、対向する１対のファクシミリ装置間で、例えばＲＴＰ、ＵＤＰ又はＩＰのプロトコルを用いて通信を行うＩＰ網５０を介して接続されてファクシミリ通信が行われている。図２はファクシミリ装置２０が公衆電話網３０及びＩＰ網５０を介して相手先のファクシミリ装置２０Ａに接続されているときの回線構成図である。
【０００３】
図２において、ファクシミリ装置２０のＮＣＵ（ネットワーク制御回路：Network Control Unit）１１は公衆電話網３０を介してＰＬＣ機能付きメディアゲートウェイ装置４０のＮＣＵ４１に接続される。ここで、ＰＬＣとはPacket Loss Concealmentの略であり、非特許文献１において規定され、例えば「パケットロス補正」と訳されており、当該ＰＬＣ機能とは、パケットロスが発生したときに、パケットロス時のフレームの信号波形を直前のフレームの信号波形と相似な信号波形であってその信号レベルを順次１／２ずつ減少させた信号波形で置き換えるようにＩＰ電話の信号波形を補正するものである。メディアゲートウェイ装置４０はアナログ信号とデジタル信号の相互変換を行う装置であり、メディアゲートウェイ装置４０はルータ装置５１、ＩＰ網５０及びルータ装置５２を介してＶｏＩＰターミナルアダプタ装置（ＶｏＩＰゲートウェイ装置ともいう。）６０に接続される。ここで、ＶｏＩＰターミナルアダプタ装置６０もメディアゲートウェイ装置４０と同様にアナログ信号とデジタル信号の相互変換を行う装置である。さらに、ＶｏＩＰターミナルアダプタ装置６０のＮＣＵ５１と相手先のファクシミリ装置２０ＡのＮＣＵ１１Ａとが接続されている。すなわち、対向する１対のファクシミリ装置２０，２０Ａにより公衆電話網３０及びＩＰ網５０を介してファクシミリ通信は、２つのゲートウェイ装置４０，６０により信号変換されて実行される。
【０００４】
例えば、特許文献１においては、ＩＰ網のパケットロスによる通信の途切れを防ぎ、信頼性のあるファクシミリ通信を行うことができるファクシミリ通信中継装置が開示されており、当該ファクシミリ通信中継装置は、送信ファクシミリ装置から送信された所定のフレームからなるアナログ信号をデジタル信号に符号化するアナログ信号符号化部と、符号化したデジタル信号をバイト単位に抽出する符号化データ抽出部と、抽出したバイト単位のデジタル信号からフレームの開始符合及び終了符合を識別するフレーム識別部と、フレームを構成するデジタル信号を蓄積するフレーム蓄積部と、蓄積したフレームを単位としてＩＰパケットを組み立てるＩＰパケット組立部と、組み立てたＩＰパケットをＩＰ網Ｉに送出するＩＰパケット送信部とを備えて構成される。
【０００５】
【特許文献１】特開２００１−１１９４２９号公報。
【非特許文献１】ITU-T(Telecommunication Standardization Sector of ITU), G. 711, Appendix 1, (09/99), Series G: Transmission Systems and Media, Digital Systems and Networks, Digital transmission systems - Terminal Equipments - Coding of Analogue Signals by Pulse Code Modulation, Pulse Code Modulation (PCM) of Voice Frequencies, Appendix 1: A High Quality Low-Complexity Algorithm for Packet Loss Concealment with G. 711, pp.1-19, September 1999.
【発明の開示】
【発明が解決しようとする課題】
【０００６】
しかしながら、図２のメディアゲートウェイ装置４０に設けられたＰＬＣはＩＰ電話（音声通話）用の技術であり、ファクシミリ通信のモデム信号に対しては不都合であり、具体的には、ＰＬＣが働くと、上述のように、別のフレームの波形信号で置き換えるために、ファクシミリモデムが正常なファクシミリ通信のモデム信号を受信できず、ファクシミリ通信の手順信号を相互に送受信できず、ファクシミリ通信を実行できない場合が多発している。
【０００７】
本発明の目的は以上の問題点を解決し、ＰＬＣ機能付きゲートウェイ装置及びＩＰ網を介してファクシミリ通信を行う場合であっても、ファクシミリ通信の通信手順を継続することができるファクシミリ装置を提供することにある。
【課題を解決するための手段】
【０００８】
第１の発明に係るファクシミリ装置は、ファクシミリモデムを用いてファクシミリ通信信号を送受信することによりファクシミリ通信を行うファクシミリ装置において、
ファクシミリ通信信号を受信してその信号レベルを周期的に検出し、時間的に隣接して検出された２つの信号レベルの変化の比が実質的に１未満の所定値であるとき、上記ファクシミリモデムの復調動作を停止させる制御手段を備えたことを特徴とする。
【０００９】
また、第２の発明に係るファクシミリ装置は、ファクシミリモデムを用いてファクシミリ通信信号を送受信することによりファクシミリ通信を行うファクシミリ装置において、
ファクシミリ通信信号を受信してその信号レベルを周期的に検出し、時間的に隣接して検出された２つの信号レベルの変化の比が実質的に１未満の所定値であるとき、上記受信したファクシミリ通信信号の信号レベルを所定のレベルに保持するように制御する制御手段を備えたことを特徴とする。
【００１０】
さらに、上記ファクシミリ装置において、上記所定値は１／２であることを特徴とする。
【発明の効果】
【００１１】
従って、本発明に係るファクシミリ装置によれば、ファクシミリ通信信号を受信してその信号レベルを周期的に検出し、時間的に隣接して検出された２つの信号レベルの変化の比が実質的に１未満の所定値であるとき、上記ファクシミリモデムの復調動作を停止させ、もしくは、上記受信したファクシミリ通信信号の信号レベルを所定のレベルに保持するように制御するので、ＰＬＣ機能付きゲートウェイ装置及びＩＰ網を介してファクシミリ通信を行う場合であっても、ファクシミリ通信の通信手順を適正に継続することができる。ここで、ＰＬＣ機能により欠落したファクシミリ通信信号の信号データはＥＣＭ（エラー訂正モード）により再送されるので問題はない。
【発明を実施するための最良の形態】
【００１２】
以下、図面を参照して本発明に係る実施形態について説明する。
【００１３】
＜実施形態＞
図１は本発明に係る実施形態である、ＰＬＣ検出に基づくファックスモデム１０の動作制御機能を有するファクシミリ装置２０の構成を示すブロック図である。本実施形態においても、ファクシミリ装置２０は、図２に示すように、公衆電話網３０及びＩＰ網５０を介して相手先のファクシミリ装置２０Ａに接続されている場合を想定しているが、公衆電話網３０のみを介して相手先のファクシミリ装置２０Ａに接続されてファクシミリ通信を行ってもよいことは周知の通りである。
【００１４】
この実施形態のファクシミリ装置２０の主制御部１は、ファクシミリモデム１０を用いてファクシミリ通信信号を送受信することによりファクシミリ通信を行うファクシミリ装置であり、主制御部１は、ファクシミリ通信信号を受信してその信号レベルを周期的に検出し、時間的に隣接して検出された２つの信号レベルの変化の比が実質的に１／２であるとき（図５のステップＳ２４，Ｓ２５でともにＹＥＳ，Ｓ２６，及び図６のステップＳ１７でＹＥＳ）、上記ファクシミリモデムの復調動作を停止させる（図４のステップＳ１９）ように制御することを特徴としている。
【００１５】
図１において、ファクシミリ装置２０は、従来のＧ３方式等のファクシミリ通信機能を備えるとともに、ＰＬＣ検出に基づくファックスモデム１０の動作制御機能を備えている。主制御部１は具体的にはＣＰＵで構成されており、バス１３を介して以下のハードウェア各部と接続されていてそれらを制御するほか、後述する種々のソフトウェアの機能を実行する。画像読取部２は、ＣＣＤ等を利用したスキャナで原稿を読み取り、白黒２値に変換したドットイメージデータを出力する。画像記録部３は電子写真方式等のプリンタ装置であり、他のファクシミリ装置からファクシミリ通信により受信したイメージデータをハードコピーとしてプリントアウトして記録する。表示部４は、液晶表示装置（ＬＣＤ）又はＣＲＴディスプレイ等の表示装置であり、当該ファクシミリ装置２０の動作状態を表示したり、送信すべき原稿のイメージデータ、及び受信したイメージデータの表示を行う。
【００１６】
操作部５は、当該ファクシミリ装置２０を操作するために必要な文字キー、ダイヤル用テンキー、短縮ダイヤルキー、ワンタッチダイヤルキー、及び各種のファンクションキー等を備える。なお、上述の表示部４をタッチパネル方式とすることにより、この操作部５の各種キーの内の一部又は全部を代用するように構成してもよい。
【００１７】
ＲＯＭ６は、当該ファクシミリ装置２０の動作に必要であって主制御部１によって実行される種々のソフトウェアのプログラムを予め格納し、ここで、当該プログラムは、少なくとも図３乃至図５のファクシミリ受信処理のプログラムを含む。ＲＡＭ７は、ＳＲＡＭ又はフラッシュメモリ等で構成され、主制御部１のワーキングエリアとして使用されてプログラムの実行時に発生する一時的なデータを記憶する。なお、ＲＡＭ７としてフラッシュメモリを使用した場合には、停電、装置の移動等のために電源が遮断された場合にもそのデータの内容が失われない。画像メモリ８はＤＲＡＭ等で構成され、送信すべきイメージデータ又は受信したイメージデータを記憶する。なお、ＲＡＭ７及び画像メモリ８をハードディスクメモリで構成してもよい。
【００１８】
ファックスモデム１０は、公衆電話回線Ｌに接続され、通常のファクシミリ通信用のファックスモデムの機能を有するモデムであり、ＦＳＫ信号として受信される発信電話番号情報のデータを復調して主制御部１に出力する。また、ファクシミリモデム１０は受信したファクシミリ通信信号の信号レベルをＡＧＣ回路１２を用いて自動的に所定の一定レベルに保持する機能を有する。ＮＣＵ１１はアナログの公衆電話回線Ｌの直流ループなどの閉結及び開放の動作を行いかつ自動ダイヤル機能を有するハードウェア回路であり、必要に応じてファックスモデム１０を公衆電話回線Ｌに接続する。ここで、ＮＣＵ１１は、発信電話番号通知サービスにおけるＩＤ受信端末起動信号、通常の電話呼出信号の検出を行うとともに、必要に応じて発信電話番号通知サービスにおける１次応答信号及び２次応答信号を発信することができる。なお、ＮＣＵ１１を所定のターミナルアダプタ及びＤＳＵ（加入者線終端装置：Digital Service Unit）を介して、ベースバンド伝送方式のデジタル回線（例えば、ＩＳＤＮ回線）に接続するようにしてもよい。
【００１９】
以上のように構成された本実施形態のファクシミリ装置２０は、通常のＧ３方式等のファクシミリ通信機能に加えて、ＩＰ電話の呼出音に基づくモデムの制御機能を有している。ファクシミリ通信機能において、画像読取部２により読み取られたドットイメージデータはファクシミリ通信の規格で定められているＭＨ，ＭＲ，ＭＭＲ等の符号化方式に従ってソフトウェアにより符号化された後、相手先のファクシミリ装置に送信される一方、逆に相手先のファクシミリ装置から受信した符号化データもソフトウェアによりイメージデータに復号化されて画像記録部３からハードコピーとして出力される。なお、画像メモリ８はイメージデータを必要に応じて記憶し、また逆に記憶しているイメージデータを必要に応じて出力する。
【００２０】
さらに、高速でファクシミリ通信などのデータ通信が可能なＶ３４モードの通信手順について説明する。ファクシミリ装置などの通信端末装置でデータ通信を行う場合には半二重方式の例えばＩＴＵ−Ｔ（国際電気通信連合−電気通信標準化部門）の勧告Ｖ１７モードの通信手順等に準拠した変復調装置を使用し、Ｇ３規格のファクシミリ通信手順でもある同勧告Ｔ３０に規定されている手順に従って行う。また、同勧告Ｖ３４に準拠した最大伝送速度が３３．６ｋｂｐｓの超高速の通信手順（以下、Ｖ３４モードの通信手順という。）も実用化されており、このＶ３４モードの通信手順では通信の開始時点及び通信実行中において、受信側でその時点の回線状況、具体的にはＳ／Ｎ（信号対雑音電力比）、帯域幅に応じて通信速度を指定することが可能であり、送信側ではそのようにして受信側で指定された通信速度で送信を行うように通信速度を変更する。なお、Ｖ３４モードの通信手順でデータ通信を行う場合には同じく同勧告Ｖ８通信手順で前手順を行って実際の通信速度を決定する。
【００２１】
図３は、図１のファクシミリ装置２０の主制御部１によって実行されるファクシミリ受信処理を示すフローチャートである。
【００２２】
図３のステップＳ１において、まず、ステップＳ１において着信があったか否かが判断され、ＹＥＳとなるまでステップＳ１の処理を繰り返し、ＹＥＳとなったときにステップＳ２に進む。ステップＳ２においてファクシミリ通信の前置処理を実行し、ステップＳ３において図４の画像データの受信処理を実行し、ステップＳ４において画像データの画像について印刷処理を実行した後、ステップＳ５において回線開放して当該ファクシミリ受信処理を終了する。
【００２３】
図４は図３のサブルーチンである画像データの受信処理（Ｓ３）を示すフローチャートである。
【００２４】
図４のステップＳ１１において、まず、ステップＳ１１において受信レベルの記憶変数をクリアし、ステップＳ１２において図５の受信信号レベル監視処理を開始し、ステップＳ１３に進む。ステップＳ１３では、後述する図５の処理からのＰＬＣ検出通知があったか否かが判断され、ＹＥＳのときはステップＳ１７に進む一方、ＮＯのときはステップＳ１４に進む。ステップＳ１４においてファックスモデム１０からデータ信号を受信し、ステップＳ１５において受信データをチェックし、ステップＳ１６においてＰＴＣ信号を検出したか否かが判断される。ステップＳ１６において、ＹＥＳのときはステップＳ１６Ａに進む一方、ＮＯのときはステップＳ１３に戻る。ステップＳ１６Ａでは、図５の受信信号レベル監視処理の終了指示を行った後、元のメインルーチンに戻る。
【００２５】
ステップＳ１７においては、図５の処理からの第１のＰＬＣ検出通知であるか否かが判断され、ＹＥＳのときはステップＳ１９に進む一方、ＮＯのときはステップＳ１８に進む。ステップＳ１８では、ファックスモデム１０の復調動作を再開した後、ステップＳ１３に戻る。一方、ステップＳ１９においてファックスモデム１０の復調動作を停止し、ステップＳ２０において２０ミリ秒間待機した後、ステップＳ１３に戻る。
【００２６】
図５は図４のサブルーチンである受信信号レベル監視処理（Ｓ１２〜Ｓ１６Ａ）を示すフローチャートである。
【００２７】
図５のステップＳ２１において、まず、レベル監視開始タイマーを初期化して開始させ、ステップＳ２２において、信号レベルの収束値を検出するために、タイマー時間Ｔ１０（例えば、６００シンボル分に対応する時間である。）だけ経過したか否かが判断され、ＹＥＳとなるまで、ステップＳ２２の処理を繰り返し、ＹＥＳとなったとき、ステップＳ２３に進む。ステップＳ２３では、受信信号レベルを例えば２０ミリ秒の周期で周期的にサンプリングし、ステップＳ２４において前回の受信レベルとの差が約１／２であるか否かが判断され、ＹＥＳのときはステップＳ２５に進む一方、ＮＯのときはステップＳ２３に戻る。ステップＳ２５において上記の受信レベルは小さくなったか否かが判断され、ＹＥＳのときはステップＳ２６に進む一方、ＮＯのときはステップＳ２７に進む。ステップＳ２６において第１のＰＬＣ検出通知を発行した後、ステップＳ２８に進む。一方、ステップＳ２７では、第２のＰＬＣ検出通知を発行した後、ステップＳ２８に進む。ステップＳ２８では、主制御部１からの終了指示を受信したか否かを判断し、ＮＯのときはステップＳ２３に戻る一方、ＹＥＳのときは当該監視処理を終了する。
【００２８】
本実施形態においては、ＩＰ網からアナログ網である公衆電話網への通話や通信において、ＰＬＣは、上述のように、パケットロスが発生した場合に直前のフレームを用いて信号レベルを１／２ずつ低下させながら信号を送出する機能である。一方、ファクシミリ通信はファクシミリ通信信号の連続性を前提にしているため、直前のフレームを送出してきてもエラーにしかならない。さらには、信号レベルが大幅に変動するため、装置によって誤動作となりうる。そこで、本実施形態では、画像データ受信中に画像データの受信レベルをモニターすることで、このＰＬＣ機能が働いた否か、すなわちパケットロスが発生したかどうかを検出することができ、不要なデータの受信処理を省くことができる。
【００２９】
以上説明したように、ファクシミリ装置２０の主制御部１は、ファクシミリモデム１０を用いてファクシミリ通信信号を送受信することによりファクシミリ通信を行うファクシミリ装置であり、主制御部１は、ファクシミリ通信信号を受信してその信号レベルを周期的に検出し、時間的に隣接して検出された２つの信号レベルの変化の比が実質的に１／２であるとき（図５のステップＳ２４，Ｓ２５でともにＹＥＳ，Ｓ２６，及び図６のステップＳ１７でＹＥＳ）、上記ファクシミリモデムの復調動作を停止させる（図４のステップＳ１９）ように制御する。従って、ＰＬＣ機能付きゲートウェイ装置及びＩＰ網を介してファクシミリ通信を行う場合であっても、ファクシミリ通信の通信手順を適正に継続することができる。ここで、ＰＬＣ機能により欠落したファクシミリ通信信号の信号データはＥＣＭ（エラー訂正モード）により再送されるので問題はない。
【００３０】
＜変形例＞
以上の実施形態においては、ファクシミリ装置２０の例について述べているが、本発明はこれに限らず、ＩＰ電話網、公衆電話網又は公衆デジタル回線網などの公衆網に接続された、例えば電話機、データ通信装置などを含む通信端末装置に適用することができる。
【００３１】
以上の実施形態においては、図４のステップＳ１９において、ファクシミリモデム１０の復調動作を停止させているが、本発明はこれに限らず、第１のＰＬＣ検出通知を受信したときに、ファクシミリモデム１０内のＳＧＣ回路１２を動作させて、受信したファクシミリ通信信号の信号レベルを所定の一定レベルに保持するように制御してもよい。すなわち、図２のメディアゲートウェイ装置４０のＰＬＣ機能が動作したときに、受信したファクシミリ通信信号の信号レベルを増大させて一定の信号レベルを保持させる。これにより、従って、ＰＬＣ機能付きゲートウェイ装置及びＩＰ網を介してファクシミリ通信を行う場合であっても、ファクシミリ通信の通信手順を適正に継続することができる。ここで、ＰＬＣ機能により欠落したファクシミリ通信信号の信号データはＥＣＭ（エラー訂正モード）により再送されるので問題はない。
【産業上の利用可能性】
【００３２】
以上詳述したように、本発明に係るファクシミリ装置によれば、ファクシミリ通信信号を受信してその信号レベルを周期的に検出し、時間的に隣接して検出された２つの信号レベルの変化の比が実質的に１未満の所定値であるとき、上記ファクシミリモデムの復調動作を停止させ、もしくは、上記受信したファクシミリ通信信号の信号レベルを所定のレベルに保持するように制御するので、ＰＬＣ機能付きゲートウェイ装置及びＩＰ網を介してファクシミリ通信を行う場合であっても、ファクシミリ通信の通信手順を適正に継続することができる。
【図面の簡単な説明】
【００３３】
【図１】本発明に係る実施形態である、ＰＬＣ検出に基づくファックスモデム１０の動作制御機能を有するファクシミリ装置２０の構成を示すブロック図である。
【図２】図１のファクシミリ装置２０が公衆電話網３０及びＩＰ網５０を介して相手先のファクシミリ装置２０Ａに接続されているときの回線構成図である。
【図３】図１のファクシミリ装置２０の主制御部１によって実行されるファクシミリ受信処理を示すフローチャートである。
【図４】図３のサブルーチンである画像データの受信処理（Ｓ３）を示すフローチャートである。
【図５】図４のサブルーチンである受信信号レベル監視処理（Ｓ１２〜Ｓ１６Ａ）を示すフローチャートである。
【符号の説明】
【００３４】
１…主制御部、
２…画像読取部、
３…画像記録部、
４…表示部、
５…操作部、
６…ＲＯＭ、
７…ＲＡＭ、
８…画像メモリ、
１０…ファックスモデム、
１１，１１Ａ…ＮＣＵ、
１３…バス、
２０，２０Ａ…ファクシミリ装置、
３０…公衆電話網、
４０…メディアゲートウェイ装置、
４１…ＮＣＵ、
５０…ＩＰ網、
５１，５２…ルータ装置、
６０…ＶｏＩＰターミナルアダプタ装置、
６１…ＮＣＵ、
Ｌ…公衆電話回線。
【図１】
2007043418.tif 000003
【図２】
2007043418.tif 000004
【図３】
2007043418.tif 000005
【図４】
2007043418.tif 000006
【図５】
2007043418.tif 000007